(57)【要約】【課題】導光板において、その略全領域に亘って均一な輝度を得る。【解決手段】導光板は、透光性素材にて形成され、入射面、出射面、反射面、左端面及び右端面を備える。反射面には、反射面からの高さが右端面側から左端面にかけて漸次高くなる略三角錐形状の第１のプリズムと、反射面からの高さが左端面側から右端面にかけて漸次高くなる略三角錐形状の第２のプリズムとが形成される。これにより、第１のプリズムの稜線の右端面側から左端面に向かうに連れて又は第２のプリズムの稜線の左端面側から右端面に向かうに連れて、第１及び第２のプリズムの傾斜面の幅又は面積が次第に大きくなる。これにより、導光板の左右端面に当たる光の量が増え、その分、その左右側の輝度が高くなる。このため、導光板において、光源の正面方向の領域と左右端面の側の領域とで輝度の差を小さくできる。その結果、導光板の略全領域に亘って輝度を均一化できる。【選択図】図４
2009224174.tif 000002
【特許請求の範囲】
【請求項１】
光源及び導光板を備える照明装置であって、
前記導光板は、
光を入射する入射面と、
前記入射面より入射された光を出射させる出射面と、
前記出射面と対向する反射面と、を備え、
前記反射面は、前記出射面側に突出する断面略三角形状のプリズムを少なくとも１つ有し、
前記プリズムは前記出射面側に頂角を有し、前記プリズムの稜線は前記入射面に対して略平行な方向に延在し又は前記入射面の略中心を基準に同心円状に延在しており、
前記プリズムの高さは、前記稜線の延在方向の各位置で異なることを特徴とする照明装置。
【請求項２】
前記導光板は、前記入射面に隣接する左端面及び右端面を備え、
前記プリズムには、前記プリズムの高さが前記左端面から前記右端面に向けて漸次低くなる略三角錐形状の第１のプリズムと、前記プリズムの高さが前記右端面から前記左端面にかけて漸次低くなる略三角錐形状の第２のプリズムとのうち少なくともどちらか一方が含まれていることを特徴とする請求項１に記載の照明装置。
【請求項３】
前記第１及び前記第２のプリズムは、前記入射面側から前記入射面と対向する反入射面側にかけて間隔をおいて複数形成されており、
前記第１のプリズムは、前記第１のプリズムの高さが高い端部が前記左端面に位置しており、
前記第２のプリズムは、前記第２のプリズムの高さが高い端部が前記右端面に位置していることを特徴とする請求項２に記載の照明装置。
【請求項４】
前記第１及び前記第２のプリズムは、前記入射面側から前記入射面と対向する反入射面側にかけて間隔をおいて複数形成されており、
前記プリズムの高さが高い端部を左端面に設けた複数の前記第１のプリズムのうち、前記入射面側に位置する前記第１のプリズムの高さが低い端部は、他の前記入射面から離れた位置に形成された前記第１のプリズムの高さが低い端部よりも前記左端面側に形成されており、
前記プリズムの高さが高い端部を右端面に設けた複数の前記第２のプリズムのうち、前記入射面側に位置する前記第２のプリズムの高さが低い端部は、他の前記入射面から離れた位置に形成された前記第２のプリズムの高さが低い端部よりも前記右端面側に形成されていることを特徴とする請求項２に記載の照明装置。
【請求項５】
前記第１及び前記第２のプリズムは、前記入射面側から前記入射面と対向する反入射面側にかけて間隔をおいて複数形成されており、
前記第１のプリズムと前記第２のプリズムの少なくとも各々１つは、互い違いとなるように形成されていることを特徴とする請求項２に記載の照明装置。
【請求項６】
前記第１のプリズムと前記第２のプリズムとは、前記入射面からの光の入射方向における導光板の中心を通る中心線に対して非対称となる位置に形成されていることを特徴とする請求項２乃至５のいずれか一項に記載の照明装置。
【請求項７】
前記第１のプリズムと前記第２のプリズムとは、前記入射面からの光の入射方向における導光板の中心を通る中心線に対して対称となる位置に形成されていることを特徴とする請求項２乃至４のいずれか一項に記載の照明装置。
【請求項８】
前記反射面は、前記反射面が前記出射面側に頂角を有し且つ稜線が前記入射面に対して略平行な方向に延在し且つ前記反射面からの高さが前記稜線の延在方向の各位置で一定である断面三角形状の第３のプリズムが少なくとも１つ形成されることを特徴とする請求項２、３又は７に記載の照明装置。
【請求項９】
前記光源は、前記入射面と対向する位置に配置されていることを特徴とする請求項１乃至８のいずれか一項に記載の照明装置。
【請求項１０】
前記入射面と対向する位置には、前記光源が間隔をおいて複数配置されており、
前記導光板には、前記複数の光源の間に対応する位置において、前記反射面が前記出射面側に頂角を有し且つ前記入射面に対して略平行な方向に延在する稜線を有する断面三角形状及び平面菱形形状の第４のプリズムが少なくとも１つ形成されることを特徴とする請求項９に記載の照明装置。
【請求項１１】
一対の基板間に電気光学物質を挟持する電気光学パネルと、前記電気光学パネルの一方の面側に配置された請求項１乃至１０のいずれか一項に記載の照明装置と、を備えることを特徴とする電気光学装置。
【請求項１２】
請求項１１に記載の電気光学装置を表示部として備えることを特徴とする電子機器。
【請求項１３】
光を入射する入射面と、
前記入射面より入射された光を出射させる出射面と、
前記出射面と対向する反射面と、を備え、
前記反射面は、前記出射面側に突出する断面略三角形状のプリズムを少なくとも１つ有し、
前記プリズムは前記出射面側に頂角を有し、前記プリズムの稜線は前記入射面に対して略平行な方向に延在し又は前記入射面の略中心を基準に同心円状に延在しており、
前記プリズムの高さは、前記稜線の延在方向の各位置で異なることを特徴とする導光板。
【発明の詳細な説明】
【技術分野】
【０００１】
本発明は、電気光学装置用の照明装置に好適に用いられる導光板の構造に関する。
【背景技術】
【０００２】
従来より、携帯電話機、携帯情報端末機等といった各種の電子機器において、画像情報を表示するために電気光学装置が用いられている。このような電気光学装置の一例として、透過型表示を行う為に、画像情報を表示する媒体としての電気光学パネルと、その観察側と逆側の背面側に配置された照明装置と、を備える電気光学装置が知られている。
【０００３】
かかる照明装置は、例えば、ＬＥＤ（Light Emitting Diode）などの光源と、光源より出射された光を電気光学パネルに導く導光板と、を備えている。導光板は、透明樹脂などにより略板状に形成され、光源と対面する位置に配置され、光源より出射された光が入射する入射面と、電気光学パネルと対面する位置に配置され、入射面より入射された光を電気光学パネルに向けて出射させる出射面と、出射面に対向する位置に配置され、入射面より入射された光を出射面に向けて反射させる反射面と、を備える。
【０００４】
このような導光板では、高輝度な面状の光を電気光学パネルに向けて均一に照射するために、反射面の形状に工夫が凝らされることが多い。このような導光板としては、現在、その反射面の形状の種類によって、ドットパターン方式とプリズムパターン方式とが存在している。ドットパターン方式の導光板は、その反射面に複数の凹凸状のパターンが形成される（例えば、特許文献１の図２を参照）。このようなドットパターン方式の導光板では、入射面から入射された光がドットパターンによって拡散させられるため、面状の均一な光を電気光学パネルに向けて出射させることできる。しかしながら、この方式では、導光板の出射面から出射される光に指向性がないため、高い輝度の照明装置を得ることが難しい。
【０００５】
これに対して、プリズムパターン方式の導光板は、その反射面に複数の断面三角形状のプリズムが形成される。このようなプリズムパターン方式の導光板では、入射面から入射された光がプリズムパターンに当たることよって、指向性の強い光が電気光学パネルに向けて照射される。よって、この方式では高い輝度の照明装置を得ることができる。
【０００６】
例えば、特許文献１には、所定の形状を有するプリズムパターンにより光の指向角を広げ、且つ光を効率よく取り出すことのできる導光板が記載されている。
【０００７】
なお、特許文献２には、導光板における光の利用効率を高める為に、導光板の反射面に同心円状の複数の連続した偏向パターンを有する導光板が記載されている。
【０００８】
【特許文献１】特開平１１−３２９０３９号公報
【特許文献２】特開２００４−１１１３８３号公報
【発明の開示】
【発明が解決しようとする課題】
【０００９】
ここで、光源から出射された光は、導光板内において放射状に分布する。よって、プリズムパターンの中央部に対しては光が正面方向から当たる為、出射面に対する光の立ち上げ角度が大きくなるものの、プリズムパターンの左右側に対しては光が斜め方向から当たる為、出射面に対する光の立ち上げ角度が小さくなる。これによって、光源の正面方向に位置する導光板の中央部では輝度が高くなり、光源の左右側付近に位置する導光板の領域では輝度が低くなってしまう。その結果、導光板の正面方向の領域とその左右側とで輝度が不均一になってしまうといった課題がある。
【００１０】
本発明は、以上の点に鑑みてなされたものであり、略全領域に亘って均一な輝度を得ることが可能な導光板、それを用いた照明装置及び電気光学装置、並びに電子機器を提供することを課題とする。
【課題を解決するための手段】
【００１１】
本発明の１つの観点による照明装置は、光源及び導光板を備え、前記導光板は、光を入射する入射面と、前記入射面より入射された光を出射させる出射面と、前記出射面と対向する反射面と、を備え、前記反射面は、前記出射面側に突出する断面略三角形状のプリズムを少なくとも１つ有し、前記プリズムは前記出射面側に頂角を有すると共に、前記プリズムの稜線は前記入射面に対して略平行な方向に延在するか、又は、前記入射面の略中心を基準に同心円状に延在しており、前記プリズムの高さは、前記稜線の延在方向の各位置で異なる。
【００１２】
上記の照明装置では、導光板は入射面と出射面と反射面とを備え、反射面は出射面側に突出する断面略三角形状のプリズムを有する。このプリズムは出射面側に頂角を有している。また、プリズムの稜線は入射面に対して略平行な方向に延在し、又は、入射面の略中心を基準に同心円状に延在しており、プリズムの高さは稜線の延在方向の各位置で異なる。即ち、稜線の延在方向において、プリズムの傾斜面の幅又は面積が異なっている。よって、導光板において光源の左右方向など輝度の低い領域は、プリズムの高さを高くすることで輝度を高めることが可能になる一方、導光板において光源の正面方向など輝度の高い領域は、プリズムの高さを低くすることで、光源の正面方向の導光板の領域の輝度と、光源の左右方向の導光板の領域の輝度との差を小さくすることができる。このように、プリズムの高さを稜線の延在方向で調整することで輝度を均一化することが可能となる。
【００１３】
上記の照明装置の一態様では、前記導光板は、前記入射面に隣接する左端面及び右端面を備え、前記プリズムには、前記プリズムの高さが前記左端面から前記右端面に向けて漸次低くなる略三角錐形状の第１のプリズムと、前記プリズムの高さが前記右端面から前記左端面にかけて漸次低くなる略三角錐形状の第２のプリズムとのうち少なくともどちらか一方が含まれている。これにより、導光板の左右の端面側の出射面から出射される光の量を増やすことできるので、導光板の略全領域に亘って輝度を均一化することができる。
【００１４】
上記の照明装置の他の一態様では、前記第１及び前記第２のプリズムは、前記入射面側から前記入射面と対向する反入射面側にかけて間隔をおいて複数形成されており、前記第１のプリズムは、前記第１のプリズムの高さが高い端部が前記左端面に位置しており、前記第２のプリズムは、前記第２のプリズムの高さが高い端部が前記右端面に位置している。
【００１５】
上記の照明装置の他の一態様では、前記第１及び前記第２のプリズムは、前記入射面側から前記入射面と対向する反入射面側にかけて間隔をおいて複数形成されており、前記プリズムの高さが高い端部を左端面に設けた複数の前記第１のプリズムのうち、前記入射面側に位置する前記第１のプリズムの高さが低い端部は、他の前記入射面から離れた位置に形成された前記第１のプリズムの高さが低い端部よりも前記左端面側に形成されており、前記プリズムの高さが高い端部を右端面に設けた複数の前記第２のプリズムのうち、前記入射面側に位置する前記第２のプリズムの高さが低い端部は、他の前記入射面から離れた位置に形成された前記第２のプリズムの高さが低い端部よりも前記右端面側に形成されている。
【００１６】
上記の照明装置の他の一態様では、前記第１及び前記第２のプリズムは、前記入射面側から前記入射面と対向する反入射面側にかけて間隔をおいて複数形成されており、前記第１のプリズムと前記第２のプリズムの少なくとも各々１つは、互い違いとなるように形成されている。これにより、左右の端面における輝度を均等にすることができる。
【００１７】
好適な例では、前記第１のプリズムと前記第２のプリズムとは、前記入射面からの光の入射方向における導光板の中心を通る中心線に対して非対称となる位置に形成されている。また、他の好適な例では、前記第１のプリズムと前記第２のプリズムとは、前記入射面からの光の入射方向における導光板の中心を通る中心線に対して対称となる位置に形成されている。
【００１８】
上記の照明装置の他の一態様では、前記反射面は、前記反射面が前記出射面側に頂角を有し且つ稜線が前記入射面に対して略平行な方向に延在し且つ前記反射面からの高さが前記稜線の延在方向の各位置で一定である断面三角形状の第３のプリズムが少なくとも１つ形成される。これにより、導光板全体としての輝度を高めることができる。
【００１９】
上記の照明装置の他の一態様では、前記光源は、前記入射面と対向する位置に配置されている。
【００２０】
上記の照明装置の他の一態様では、前記入射面と対向する位置には、前記光源が間隔をおいて複数配置されており、前記導光板には、前記複数の光源の間に対応する位置において、前記反射面が前記出射面側に頂角を有し且つ前記入射面に対して略平行な方向に延在する稜線を有する断面三角形状及び平面菱形形状の第４のプリズムが少なくとも１つ形成される。これにより、複数の光源の間の領域についても、導光板の輝度を確保することができる。
【００２１】
一対の基板間に電気光学物質を挟持する電気光学パネルと、前記電気光学パネルの一方の面側に上記の照明装置と、を備える電気光学装置を構成することができる。また、その電気光学装置を表示部として備える電子機器を構成することができる。
【００２２】
本発明の他の観点による導光板は、光を入射する入射面と、前記入射面より入射された光を出射させる出射面と、前記出射面と対向する反射面と、を備え、前記反射面は、前記出射面側に突出する断面略三角形状のプリズムを少なくとも１つ有し、前記プリズムは前記出射面側に頂角を有し、前記プリズムの稜線は前記入射面に対して略平行な方向に延在し又は前記入射面の略中心を基準に同心円状に延在しており、前記プリズムの高さは、前記稜線の延在方向の各位置で異なる。この導光板では、プリズムの高さを稜線の延在方向で調整することで輝度を均一化することが可能となる。
【発明を実施するための最良の形態】
【００２３】
以下、図面を参照して本発明を実施するための最良の形態について説明する。
【００２４】
（液晶装置の構成）
以下、図１を参照して、本発明の実施形態に係る電気光学装置の一例としての液晶装置１００の構成について説明する。図１は、液晶装置１００の断面図を示す。
【００２５】
液晶装置１００は、主に、電気光学パネルの一例としての液晶表示パネル５０と、液晶表示パネル５０の観察側とは逆側に配置された照明装置５１と、を備える。ここで、観察側とは、液晶装置１００において観察者によって視認される側を指す。
【００２６】
液晶表示パネル５０は、ガラスなどの透光性材料により形成された第１の基板１と、第１の基板１と同様の材料により形成された第２の基板２とを枠状のシール材３を介して貼り合わせ、その枠状のシール材３で区画される領域に電気光学物質の一例としての液晶層４を挟持してなる。液晶表示パネル５０の液晶層４側の内面上には、例えば、ブラックマトリクス、カラーフィルタ、電極その他の多くの構成要素がマトリクス状（格子状）又はストライプ状（線状）に形成されるが、図１ではそれらの要素の図示を省略している。なお、本発明では、液晶表示パネル５０は、特定の構成に限定されず、周知の種々の構成を採り得る。
【００２７】
照明装置５１は、光源５と、光源５から出射された光Ｌを液晶表示パネル５０に向けて導く導光板６と、を備える。なお、照明装置５１では、基本的には図示しないプリズムシート、拡散シート及び反射シートなどの各種の光学シートが設けられる。但し、液晶装置によっては、光学シートは除去してもかまわない。
【００２８】
光源５は、例えばＬＥＤ（Light Emitting Diode）であり、後述する導光板６の入射面６ａと対面する位置に少なくとも１つ配置される。
【００２９】
導光板６は、透明樹脂などの透光性素材にて形成され、液晶表示パネル５０と対向する位置に配置されている。導光板６は、例えば略矩形状の平面形状を有し、光源５より出射された光Ｌが入射する入射面（複数の側面のうち一つの側面）６ａと、入射面６ａから入射された光Ｌを液晶表示パネル５０に向けて出射させる出射面（上面）６ｂと、入射面６ａから入射された光Ｌ及び出射面６ｂにて反射された光Ｌを出射面６ｂに向けて反射させる反射面（下面）６ｃと、入射面６ａに隣接する右端面６Ｒ及び左端面６Ｌと、を備える。その他、導光板６の詳細な構成については後述する。
【００３０】
以上の構成を有する液晶装置１００では、光源５より発光した光Ｌが、導光板６の入射面６ａを通じて導光板６の内部へ入射する。導光板６の内部に入射した光Ｌは、導光板６の出射面６ｂと反射面６ｃとの間で反射を繰り返し、その光Ｌと出射面６ｂの法線とのなす角度が臨界角より小さくなると、光Ｌは、当該出射面６ｂを透過して液晶表示パネル５０側へ出射する。そして、その出射された光Ｌが液晶表示パネル５０を透過する際に、液晶分子の配向が制御された液晶層４により変調され、所望の表示画像が観察者によって視認される。
【００３１】
[導光板の構成（第１実施形態）]
次に、第１実施形態に係る導光板６の構成について詳述するが、その説明に先立ち、比較例に係る照明装置の構成及びその課題について説明する。
【００３２】
図２（ａ）は、比較例に係る照明装置５００を、その要素である導光板６０の出射面６０ｂ側から見た平面図を示す。図２（ｂ）は、照明装置５００の構成要素である導光板６０に形成されるプリズム６０ｐの要部斜視図であり、光源５側から出射された光Ｌがプリズム６０ｐの傾斜面６０ｐａに所定の角度で入射して所定の角度で反射する様子を示す。図２（ｂ）において、「α」はプリズム６０ｐの頂角を示し、「ｈ１０」は反射面６０ｃの法線方向におけるプリズム６０ｐの高さを示す。
【００３３】
まず、比較例に係る照明装置５００の構成は次の通りである。
【００３４】
比較例に係る照明装置５００は、１つの光源５と、導光板６０と、を備える。導光板６０は、透明樹脂などにて形成され、略矩形状の平面形状を有する。
【００３５】
光源５は、例えばＬＥＤなどにより構成され、後述する導光板６０の入射面６０ａと対面する位置であって、入射面６０ａの略中央部に配置される。なお、光源５と導光板の厚みの関係については、入射効率を高めるために、基本的に光源の厚さ≦導光板の厚さとすることが好ましい。但し、導光板をあえて光源より厚くする必要が無い場合は、光源の厚さ＝導光板の厚さとすればよい。
【００３６】
導光板６０は、光源５より出射された光Ｌが入射する入射面６０ａと、入射面６０ａから入射された光Ｌを出射させる出射面６０ｂと、入射面６０ａと対向する位置に配置された反入射面６０ｄと、を備える。導光板６０の反射面６０ｃには、断面三角形状のプリズム６０ｐが入射面６０ａ付近から入射面６０ａと対向する位置に配置された反入射面６０ｄ付近にかけて一定の間隔ｄ１０をおいて配列されている。プリズム６０ｐは、導光板６０の外側から反射面６０ｃを切り欠くように形成され、出射面６０ｂ側に頂角αを有する。プリズム６０ｐの稜線６０ｐｓは入射面６０ａに対して略平行をなし、プリズム６０ｐの高さｈ１０は稜線６０ｐｓの延在方向の各位置で一定である。
【００３７】
以上の構成を有する照明装置５００では、光源５より発光された光Ｌが、導光板６０の入射面６０ａを通じて導光板６０の内部へ入射する。導光板６０の内部に入射した光Ｌは、導光板６０の出射面６０ｂと反射面６０ｃとの間で反射を繰り返し、その光Ｌと出射面６０ｂの法線とのなす角度が臨界角より小さくなると、光Ｌは、当該出射面６０ｂを透過して図示しない液晶表示パネル側へ出射する。
【００３８】
次に、図２（ｂ）乃至（ｄ）を参照して、プリズム６０ｐに対する光Ｌの入射角度と光Ｌの反射角度の関係について説明する。
【００３９】
図２（ｂ）に、プリズム６０ｐの傾斜面（即ち、反射面６０ｃの一部）６０ｐａに対する光Ｌの入射角度とその反射角度との関係を示す。図２（ｂ）において、線分Ａ−Ａ’は、プリズム６０ｐの傾斜面６０ｐａに沿う線分であると共にプリズム６０ｐの稜線６０ｐｓに対して直交する方向に延びる線分であり、また、線分Ｂ−Ｂ’は、プリズム６０ｐの傾斜面６０ｐａに沿う線分であると共にプリズム６０ｐの稜線６０ｐｓに対し所定の角度βをなす線分である。図２（ｃ）は、図２（ａ）に示すプリズム６０ｐの傾斜面６０ｐａに対して、光源５から出射された光Ｌが正面方向（線分Ａ−Ａ’と所定の角度γ１をなす方向；矢印Ｙ１方向）から入射した場合における、その入射角γ１とその反射角γ２との関係を示す図である。図２（ｄ）は、図２（ａ）に示すプリズム６０ｐの傾斜面６０ｐａに対して、光源５から出射された光Ｌが斜め方向（線分Ｂ−Ｂ’と所定の角度η１をなす方向；矢印Ｙ３方向）から入射した場合における、その入射角η１とその反射角η２との関係を示す図である。
【００４０】
光源５から出射された光Ｌが、プリズム６０ｐの傾斜面６０ｐａに当たると所定の角度を以って出射面６０ｂに向けて反射される。ここで、光源５から出射された光Ｌがプリズム６０ｐの傾斜面６０ｐａに対して正面方向（矢印Ｙ１方向）に当たった場合には、図２（ｂ）及び（ｃ）に示すように、その光Ｌは矢印Ｙ１方向の延長線である基準線Ｌ１に対して所定の角度γ２をなす方向（矢印Ｙ２方向）に反射される。一方、光源５から出射された光Ｌがプリズム６０ｐの傾斜面６０ｐａに対して斜め方向（矢印Ｙ３方向）から当たった場合には、図２（ｂ）及び（ｄ）に示すように、その光Ｌは矢印Ｙ３方向の延長線である基準線Ｌ２に対して所定の角度η２（＜γ２）をなす方向（矢印Ｙ４方向）に反射される。このように、光源５より出射された光Ｌが、プリズム６０ｐの傾斜面６０ｐａに対して正面方向から当たると、出射面６０ｂに対しての光Ｌの立ち上げ角度（反射角γ２）が大きくなり、光源５より出射された光Ｌがプリズム６０ｐの傾斜面６０ｐａに対して斜め方向から当たると、出射面６０ｂに対しての光Ｌの立ち上げ角度（反射角η２）が小さくなる。
【００４１】
これにより、導光板６０において、光源５の正面方向では輝度が高くなる一方、光源５の斜め方向では正面方向と比べて輝度が低くなる。このときの比較例に係る照明装置５００の輝度分布を図３に示す。図３において、ハッチングで示す領域Ａ１〜Ａ５は輝度を示し、輝度の高さは領域Ａ１＞領域Ａ２＞領域Ａ３＞領域Ａ４＞領域Ａ５である。よって、プリズム６０ｐの高さｈ１０が一定である比較例に係る導光板６０では、その全領域で輝度を均一化することが難しいといった課題がある。
【００４２】
そこで、第１実施形態では、プリズムの高さを導光板６の正面方向よりも左右方向を高くして、その左右方向に位置するプリズムの傾斜面に当たる光Ｌの量を増やすことで、かかる課題を解決する。
【００４３】
以下、図４を参照して、第１実施形態に係る導光板６の構成について詳述する。
【００４４】
図４（ａ）は、第１実施形態に係る照明装置５１を、その要素である導光板６の出射面６ｂ側から見た平面図を示す。図４（ａ）において、直線Ｌ１０は、左端面６Ｌと右端面６Ｒに直交し且つ左端面６Ｌと右端面６Ｒとを結ぶ線分の中心を通る中心線を示す。図４（ｂ）は、図４（ａ）の破線領域Ａ２０に対応する導光板６の要部斜視図を示す。図４（ｃ）は、図４（ａ）の破線領域Ａ２０に対応する導光板６の要部拡大平面図を示す。図４（ｄ）は、図４（ｃ）の切断線Ｘ１−Ｘ２に沿った導光板６の要部拡大断面図であり、特にプリズム６ｐの稜線６ｐｓを通る位置で切断した断面構成を示す。
【００４５】
第１実施形態に係る導光板６の基本的な構成は上述した通りである。さらに、第１実施形態では、導光板６の反射面６ｃには、出射面６ｂ側に頂角δ１を有し且つ稜線６ｐｓが入射面６ａに対して略平行をなす断面三角形状のプリズム６ｐが少なくとも１つ（本例では複数）形成される。そして、反射面６ｃの法線方向におけるプリズム６ｐの高さｈ１は、稜線６ｐｓの延在方向の各位置で異なる。具体的には、導光板６は、高さｈ１が左端面６Ｌで最も高く右端面６Ｒに向けて漸次低くなる略三角錐形状の第１のプリズム６ｐＬと、高さｈ１が右端面６Ｒで最も高く左端面へ向けて漸次低くなる略三角錐形状の第２のプリズム６ｐＲと、を備える。なお、以下では、第１のプリズム６ｐＬ及び第２のプリズム６ｐＲを単に「プリズム６ｐ」と称することがある。
【００４６】
第１のプリズム６ｐＬは、光源５側に位置する傾斜面６ｐａと、光源５側とは逆側に位置する傾斜面６ｐｂと、を有する。第１のプリズム６ｐＬの傾斜面６ｐａは、光源５を通じて入射面６ａから入射した光Ｌ及び出射面６ｂにて反射された光Ｌを出射面６ｂに向けて反射させる。一方、第１のプリズム６ｐＬの傾斜面６ｐｂは、入射面６ａと対向する位置に配置された反入射面６ｄ側から入射面６ａ側に向けて戻ってきた光Ｌを出射面６ｂに向けて反射させる。第１のプリズム６ｐＬは、反射面６ｃにおいて、入射面６ａから反入射面６ｄ側にかけて間隔をおいて複数形成されている。第１のプリズム６ｐＬは、高さの高い端部が左端面６Ｌに位置している。具体的に、複数の第１のプリズム６ｐＬのうち、反射面６ｃの入射面６ａ付近から反射面６ｃの中央部付近にかけて形成された第１のプリズム６ｐＬは、頂点Ｐ１〜Ｐ４のうち、頂点Ｐ２〜Ｐ４（図示略）が左端面６Ｌ上に位置していると共に、頂点Ｐ１が左端面６Ｌと右端面６Ｒとの間に位置している。
【００４７】
また、高さが高い端部を左端面６Ｌに設けた複数の第１のプリズム６ｐＬのうち、入射面６ａ側に位置する第１のプリズム６ｐＬの高さが低い端部は、他の入射面６ａから離れた位置に形成された第１のプリズム６ｐＬの高さが低い端部よりも左端面６Ｌ側に形成されている。なお、本実施形態では反射面６ｃの中央部付近から反射面６ｃの反入射面６ｄ付近にかけて形成された第１のプリズム６ｐＬは、入射面６ａから離れるに従って頂点Ｐ１が右端面６Ｒに近づく位置に形成されているが、これは必須ではない。
【００４８】
一方、第２のプリズム６ｐＲも、第１のプリズム６ｐＬと同様に、光源５側に位置する傾斜面６ｐａと、光源５側とは逆側に位置する傾斜面６ｐｂと、を有する。第２のプリズム６ｐＲは、反射面６ｃおいて、入射面６ａから入射面６ａと対向する位置に配置された反入射面６ｄ側にかけて間隔をおいて形成されている。第２のプリズム６ｐＲは、高さの高い端部が右端面６Ｒに位置している。具体的に、複数の第２のプリズム６ｐＲのうち、反射面６ｃの入射面６ａ付近から反射面６ｃの中央部付近にかけて形成された第２のプリズム６ｐＲは、頂点Ｐ１〜Ｐ４のうち、頂点Ｐ２〜Ｐ４（図示略）が右端面６Ｒ上に位置していると共に、頂点Ｐ１が左端面６Ｌと右端面６Ｒとの間に位置している。
【００４９】
また、高さが高い端部を右端面６Ｒに設けた複数の第２のプリズム６ｐＲのうち、入射面６ａ側に位置する第２のプリズム６ｐＲの高さが低い端部は、他の入射面６ａから離れた位置に形成された第２のプリズム６ｐＲの高さが低い端部よりも右端面６Ｒ側に形成されている。なお、本実施形態では、反射面６ｃの中央部付近から反射面６ｃの反入射面６ｄ付近にかけて形成されられた第２のプリズム６ｐＲは、入射面６ａから離れるに従って頂点Ｐ１が左端面６Ｌに近づく位置に形成されているが、これは必須ではない。
【００５０】
また、第２のプリズム６ｐＲは、反射面６ｃの中央部付近から反射面６ｃの反入射面６ｄ付近にかけて、第１のプリズム６ｐＬと互い違いとなるように形成されている。さらに、第２のプリズム６ｐＲは、中心線Ｌ１０に対して、第１のプリズム６ｐＬと非対称となる位置に形成されている。
【００５１】
以上の構成を有する第１実施形態に係る導光板６によれば、例えば次のような作用効果を得ることができる。
【００５２】
第１実施形態に係る導光板６は、高さｈ１が左端面６Ｌ側から右端面６Ｒに向かって漸次低くなる略三角錐形状の第１のプリズム６ｐＬと、高さｈ１が右端面６Ｒ側から左端面６Ｌに向けて漸次低くなる略三角錐形状の第２のプリズム６ｐＲと、を備える。
【００５３】
これによれば、稜線６ｐｓの右端面６Ｒ側から左端面６Ｌに向かうに連れて、第１のプリズム６ｐＬの傾斜面６ｐａの幅ｄ１又は面積が次第に大きくなる。よって、導光板６内に入射された光Ｌが傾斜面６ｐａ（反入射面６ｄ側からの戻り光Ｌの場合は傾斜面６ｐｂ）に当たる割合は、稜線６ｐｓの右端面６Ｒ側から左端面６Ｌ側に向かうに連れて大きくなる。これにより、導光板６の左端面６Ｌ側の出射面６ｂから出射される光Ｌの量を増やすことできるので、その分、導光板６の左端面６Ｌ側の輝度を高めることができる。
【００５４】
なお、この場合、稜線６ｐｓの右端面６Ｒ側から左端面６Ｌ側に向かうに連れて、光源５から出射された光Ｌが傾斜面６ｐａに対しより斜め方向から当たることになる。このため、出射面６ｂに対する光Ｌの立ち上がり角度は小さくなり、出射面６ｂから出射され難くなる。しかし、この場合、傾斜面６ｐａにて反射された光Ｌは小さい立ち上がり角度で立ち上がって出射面６ｂに当たり、その当たった光Ｌは出射面６ｂにて反射され、反射された光Ｌは、反入射面６ｄ側に位置する他のプリズム６ｐの傾斜面６ｐａ（反入射面６ｄ側からの戻り光Ｌの場合は傾斜面６ｐｂ）の左端面６Ｌ側に当たり易くなる。このため、導光板６の左端面６Ｌ側の出射面６ｂから出射される割合が高くなる。よって、導光板６の左端面６Ｌ側の輝度を高めることができる。
【００５５】
一方、光源５の正面方向に位置する、第１のプリズム６ｐＬの傾斜面６ｐａの幅ｄ１又は面積は、稜線６ｐｓの左端面６Ｌ側と比べると小さい。しかし、光源５から出射された光Ｌは傾斜面６ｐａに対して正面方向から当たるので、出射面６ｂに対する光Ｌの立ち上がり角度は大きい。よって、この場合、光Ｌは出射面６ｂから出射され易くなる。このため、光源５の正面方向に位置する導光板６の領域と、導光板６の左端面６Ｌ側の領域とで輝度の差を小さくすることができる。
【００５６】
同様に、第２のプリズム６ｐＲの高さｈ１が左端面６Ｌ側から右端面６Ｒにかけて漸次高くなる略三角錐形状を有するため、稜線６ｐｓの左端面６Ｌ側から右端面６Ｒに向かうに連れて、第２のプリズム６ｐＲの傾斜面６ｐａの幅ｄ１又は面積が次第に大きくなる。よって、導光板６内に入射された光Ｌが傾斜面６ｐａ（反入射面６ｄからの戻り光Ｌの場合は傾斜面６ｐｂ）に当たる割合は、稜線６ｐｓの左端面６Ｌ側から右端面６Ｒ側に向かうに連れて大きくなる。これにより、導光板６の右端面６Ｒ側の出射面６ｂから出射される光Ｌの量を増やすことできるので、その分、導光板６の右端面６Ｒ側の輝度を高めることができる。
【００５７】
なお、この場合、稜線６ｐｓの左端面６Ｌ側から右端面６Ｒ側に向かうに連れて、光源５から出射された光Ｌが傾斜面６ｐａに対しより斜め方向から当たることになる。このため、出射面６ｂに対する光Ｌの立ち上がり角度は小さくなり、出射面６ｂから出射され難くなる。しかし、この場合、傾斜面６ｐａにて反射された光Ｌは小さい立ち上がり角度で立ち上がって出射面６ｂに当たり、その当たった光Ｌは出射面６ｂにて反射され、反射された光Ｌは、反入射面６ｄ側に位置する他のプリズム６ｐの傾斜面６ｐａ（反入射面６ｄからの戻り光Ｌの場合は傾斜面６ｐｂ）の右端面６Ｒ側に当たり易くなる。このため、導光板６の右端面６Ｒ側の出射面６ｂから出射される割合が高くなる。よって、導光板６の右端面６Ｒ側の輝度を高めることができる。
【００５８】
一方、光源５の正面方向に位置する、第２のプリズム６ｐＲの傾斜面６ｐａの幅ｄ１又は面積は、稜線６ｐｓの右端面６Ｒ側と比べると小さい。しかし、光源５から出射された光Ｌは傾斜面６ｐａに対して正面方向から当たるので、出射面６ｂに対する光Ｌの立ち上がり角度は大きい。よって、この場合、光Ｌは出射面６ｂから出射され易くなる。このため、光源５の正面方向に位置する導光板６の領域と、導光板６の右端面６Ｒ側の領域とで輝度の差を小さくすることができる。
【００５９】
以上に述べた作用により、第１実施形態では、導光板６の略全領域に亘って輝度を均一化することができる。
【００６０】
なお、この構成に限らず、本発明では、設計仕様に応じて、導光板６の反射面６ｃに対して、第１のプリズム６ｐＬ及び第２のプリズム６ｐＲの何れか一方を設けることとしても構わない。
【００６１】
また、第１実施形態に係る導光板６では、反射面６ｃの中央部付近から反射面６ｃの反入射面６ｄ付近にかけて形成された第１のプリズム６ｐＬは、入射面６ａから離れるに従って頂点Ｐ１が右端面６Ｒに近づく位置に形成されていると共に、反射面６ｃの中央部付近から反射面６ｃの反入射面６ｄ付近にかけて形成された第２のプリズム６ｐＲは、入射面６ａから離れるに従って頂点Ｐ１が左端面６Ｌに近づく位置に形成されている。また、第１のプリズム６ｐＬと第２のプリズム６ｐＲとは、反射面６ｃの中央部付近から反射面６ｃの反入射面６ｄ付近にかけて、互い違いとなるように形成されている。
【００６２】
この構成によれば、反射面６ｃの中央部付近から反射面６ｃの反入射面６ｄ付近にかけて形成された第１のプリズム６ｐＬ及び第２のプリズム６ｐＲは、反射面６ｃの入射面６ａ付近から反射面６ｃの中央部付近にかけて形成された第１のプリズム６ｐＬ及び第２のプリズム６ｐＲと比較して、傾斜面６ｐａ及び傾斜面６ｐｂの各大きさが大きくなる。そのため、反射面６ｃの中央部付近から反射面６ｃの反入射面６ｄ付近では、第１のプリズム６ｐＬ及び第２のプリズム６ｐＲの傾斜面６ｐａ及び傾斜面６ｐｂに対して、光Ｌの当たる割合が増加する。その結果、導光板６において輝度の低くなりがちな反入射面６ｄ側の輝度を高めることができる。このため、光源５の正面方向に位置する導光板６の領域と、導光板６の反入射面６ｄ側の領域とで輝度の差を小さくすることができる。
【００６３】
[導光板の構成（第２実施形態）]
次に、第２実施形態に係る導光板６ｓを備える照明装置５１ｓの構成について説明する。なお、以下では、第１実施形態と同一の要素については同一の符号を付し、その説明は適宜省略する。
【００６４】
図５（ａ）は、第２実施形態に係る照明装置５１ｓを、その要素である導光板６ｓの出射面６ｂ側から見た平面図を示す。図５（ａ）において、直線Ｌ１１は、左端面６Ｌと右端面６Ｒに直交し且つ左端面６Ｌと右端面６Ｒとを結ぶ線分の中心を通る中心線を示す。図５（ｂ）は、図５（ａ）の破線領域Ａ３０に対応する、第３のプリズム６ｐｈの要部拡大斜視図を示す。
【００６５】
第２実施形態に係る照明装置５１ｓは、１つの光源５と、導光板６ｓと、を備える。
【００６６】
導光板６ｓは、透明樹脂などの透光性素材にて形成され、液晶表示パネル５０と対向する位置に配置される。導光板６ｓは、例えば略矩形状の平面形状を有し、第１実施形態と同様に、入射面６ａ、出射面６ｂ、反射面６ｃ、右端面６Ｒ及び左端面６Ｌを備える。導光板６ｓの反射面６ｃには、第１のプリズム６ｐＬ及び第２のプリズム６ｐＲに加え、さらに第３のプリズム６ｐｈが形成されている。なお、以下では、第３のプリズム６ｐｈを単に「プリズム６ｐ」と称することがある。
【００６７】
第１のプリズム６ｐＬは、反射面６ｃおいて、入射面６ａから反入射面６ｄ側にかけて間隔をおいて形成されている。第１のプリズム６ｐＬは、頂点Ｐ１〜Ｐ４のうち、頂点Ｐ２〜Ｐ４（図示略）が左端面６Ｌ上に位置していると共に、頂点Ｐ１が左端面６Ｌと右端面６Ｒとの間に位置する反射面６ｃに位置している。
【００６８】
一方、第２のプリズム６ｐＲは、反射面６ｃにおいて、入射面６ａから反入射面６ｄ側にかけて間隔をおいて形成されている。第２のプリズム６ｐＲは、頂点Ｐ１〜Ｐ４のうち、頂点Ｐ２〜Ｐ４（図示略）が右端面６Ｒ上に位置していると共に、頂点Ｐ１が左端面６Ｌと右端面６Ｒとの間に位置する反射面６ｃに位置している。また、第２のプリズム６ｐＲは、反射面６ｃにおいて、中心線Ｌ１１に対して第１のプリズム６ｐＬと対称となる位置に形成されている。
【００６９】
第３のプリズム６ｐｈは、出射面６ｂ側に頂角δ２を有し、且つ稜線６ｐｓが入射面６ａに対して略平行をなし、且つ反射面６ｃの法線方向における高さｈ２が稜線６ｐｓの延在方向の各位置で一定である断面三角形状及び略三角柱形状のプリズムである。第３のプリズム６ｐｈは、反射面６ｃの入射面６ａ付近から反射面６ｃの反入射面６ｄ付近にかけて間隔をおいて形成されていると共に、隣り合う第３のプリズム６ｐｈの間隔ｄ２は、入射面６ａから離れるに従って小さくなる。また、第３のプリズム６ｐｈは、反射面６ｃの入射面６ａ付近から反射面６ｃの中央部付近において、相隣接する第１のプリズム６ｐＬの間及び第２のプリズム６ｐＲの間に形成されている。
【００７０】
以上の構成を有する第２実施形態に係る導光板６ｓによれば、例えば次のような作用効果を得ることができる。
【００７１】
第２実施形態に係る導光板６ｓは、高さｈ２が一定である略三角柱形状の第３のプリズム６ｐｈに加え、高さｈ１が右端面６Ｒ側から左端面６Ｌにかけて漸次高くなる略三角錐形状の第１のプリズム６ｐＬと、反射面６ｃからの高さｈ１が左端面６Ｌ側から右端面６Ｒにかけて漸次高くなる略三角錐形状の第２のプリズム６ｐＲと、を備えている。よって、高さｈ２が一定である略三角柱形状の第３のプリズム６ｐｈのみ備える導光板と比較して、導光板６ｓの左端面６Ｌ側及び右端面６Ｒ側の輝度を高めることができる。このため、光源５の正面方向に位置する導光板６ｓの領域と、導光板６ｓの左端面６Ｌ側及び右端面６Ｒ側の領域とで輝度の差を小さくすることができる。その結果、導光板６ｓの略全領域に亘って輝度を均一化することができる。
【００７２】
また、第２実施形態に係る導光板６ｓでは、隣り合う第３のプリズム６ｐｈの間隔ｄ２は、入射面６ａから離れるに従って小さく設定されている。つまり、第３のプリズム６ｐｈは、入射面６ａから離れるに従って密に形成される。このため、導光板６ｓにおいて輝度の低くなりがちな反入射面６ｄ側の輝度を高めることができる。よって、光源５の正面方向に位置する導光板６ｓの領域と、反入射面６ｄ側の領域とで輝度の差を小さくすることができる。
【００７３】
[導光板の構成（第３実施形態）]
次に、第３実施形態に係る導光板６ｔを備える照明装置５１ｔの構成について説明する。なお、以下では、第１実施形態と同一の要素については同一の符号を付し、その説明は適宜省略する。
【００７４】
図６（ａ）は、第３実施形態に係る照明装置５１ｔを、その要素である導光板６ｔの出射面６ｂ側から見た平面図を示す。図６（ａ）において、楕円状の破線領域は各光源５から出射される光Ｌの領域を示す。図６（ｂ）は、図６（ａ）の破線領域Ａ４０に対応する、第４のプリズム６ｐｋを含む導光板６ｔの要部拡大平面図を示す。図６（ｃ）は、図６（ｂ）の切断線Ｘ３−Ｘ４に沿った導光板６ｔの要部断面図であり、特に第４のプリズム６ｐｋの長軸方向の稜線６１ｐｓを通る位置で切断した断面構成を示す。
【００７５】
第３実施形態に係る照明装置５１ｔは、複数の光源（本例では３つの光源）５と、導光板６ｔと、を備える。
【００７６】
各光源５は、導光板６ｔの入射面６ａと対面する位置に所定の間隔をおいて配置されている。
【００７７】
導光板６ｔは、透明樹脂などの透光性素材にて形成され、液晶表示パネル５０と対向する位置に配置される。導光板６ｔは、例えば略矩形状の平面形状を有し、第１実施形態と同様に、入射面６ａ、出射面６ｂ、反射面６ｃ、右端面６Ｒ及び左端面６Ｌを備える。導光板６ｔの反射面６ｃには、第１のプリズム６ｐＬ及び第２のプリズム６ｐＲに加え、さらに第４のプリズム６ｐｋが形成されている。以下では、第４のプリズム６ｐｋを単に「プリズム６ｐ」と称することがある。また、便宜上図６では図示を省略しているが、各楕円状の破線領域内には、例えば図５に示すプリズム６ｐｈのように、出射面６ｂ側に頂角を有し、稜線が入射面６ａに対して略平行をなし、高さが稜線の延在方向の各位置で一定である断面三角形状及び略三角柱形状のプリズムが形成される。
【００７８】
第１のプリズム６ｐＬは、左端面６Ｌ側に位置する反射面６ｃであって、且つ入射面６ａ付近及び反入射面６ｄ付近に夫々形成されている。
【００７９】
第２のプリズム６ｐＲは、右端面６Ｒ側に位置する反射面６ｃであって、且つ入射面６ａ付近及び反入射面６ｄ付近に夫々形成されている。
【００８０】
第４のプリズム６ｐｋは、出射面６ｂ側に頂角を有し且つ長軸方向の稜線６１ｐｓが入射面６ａに対して略平行（又は短軸方向の稜線６１ｐｃが入射面６ａに対して略直交）をなす断面三角形状及び平面菱形形状のプリズムである。第４のプリズム６ｐｋは、反射面６ｃの法線方向における高さｈ３が長軸方向の稜線６１ｐｓの略中央部から長軸方向の稜線６１ｐｓの端部にかけて漸次小さくなる形状を有すると共に、短軸方向の稜線６１ｐｃの略中央部から短軸方向の稜線６１ｐｃの端部にかけて漸次小さくなる形状を有する。第４のプリズム６ｐｋは、光源５の間に対応する反射面６ｃであって、且つ入射面６ａ付近及び反入射面６ｄ付近に夫々少なくとも１つ（本例では複数）形成されている。第４のプリズム６ｐｋの短軸方向の稜線６１ｐｃは、相隣接する光源５を結ぶ線分の中心線Ｌ１２又はＬ１３上に位置している。
【００８１】
以上の構成を有する第３実施形態に係る導光板６ｔによれば、例えば次のような作用効果を得ることができる。
【００８２】
図６（ａ）の破線領域に示すように、各光源５から出射された光Ｌは導光板６ｔ内において放射状に分布する。このため、各光源５の間に対応する反射面６ｃであって、且つ入射面６ａ付近及び反入射面６ｄ付近は、各光源５の正面方向における導光板６ｔの領域と比較して輝度が低下し易い領域となる。
【００８３】
そこで、第３実施形態に係る導光板６ｔでは、光源５の間に対応する反射面６ｃであって、且つ入射面６ａ付近及び反入射面６ｄ付近に対して、上記した形状を有する第４のプリズム６ｐｋを夫々少なくとも１つ（本例では複数）形成する。これにより、導光板６ｔ内に入射された光Ｌが傾斜面６１ｐａ（反入射面６ｄからの戻り光Ｌの場合は傾斜面６１ｐｂ）に当たる割合は、長軸方向の稜線６１ｐｓの端部からその略中央部に向かうに連れて大きくなる。そのため、各光源５の間に対応する反射面６ｃ上であって且つ入射面６ａ付近及び反入射面６ｄ付近の各出射面６ｂから外部へ出射される光Ｌの量を増やすことができる。その結果、各光源５の間に対応する反射面６ｃ上であって且つ入射面６ａ付近及び反入射面６ｄ付近の輝度を高めることができる。このため、各光源５の正面方向に位置する導光板６ｔの領域と、入射面６ａ付近及び反入射面６ｄ付近の導光板６ｔの領域とで輝度の差を小さくすることができる。
【００８４】
また、第３実施形態に係る導光板６ｔでは、第１のプリズム６ｐＬは、左端面６Ｌ側に位置する反射面６ｃであって、且つ入射面６ａ付近及び反入射面６ｄ付近に夫々形成されていると共に、第２のプリズム６ｐＲは、右端面６Ｒ側に位置する反射面６ｃであって、且つ入射面６ａ付近及び反入射面６ｄ付近に夫々形成されている。これにより、左端面６Ｌ側及び右端面６Ｒ側に位置する反射面６ｃ上であって、且つ入射面６ａ付近及び反入射面６ｄ付近の輝度を高めることができる。このため、各光源５の正面方向に位置する導光板６ｔの領域と、左端面６Ｌ側及び右端面６Ｒ側に位置する反射面６ｃ上であって、且つ入射面６ａ付近及び反入射面６ｄ付近に位置する導光板６ｔの領域とで輝度の差を小さくすることができる。
【００８５】
以上により、第３実施形態では、導光板６ｔの略全領域に亘って輝度を均一化することができる。
【００８６】
[導光板の構成（第４実施形態）]
次に、第４実施形態に係る導光板６ｕを備える照明装置５１ｕの構成について説明する。なお、以下では、第１実施形態と同一の要素については同一の符号を付し、その説明は適宜省略する。
【００８７】
図７（ａ）は、第４実施形態に係る照明装置５１ｕを、その要素である導光板６ｕの出射面６ｂ側から見た平面図を示す。図７（ａ）において、楕円状の破線領域は光源５から出射される光Ｌの領域を示し、直線Ｌ１４は、光源５及び入射面６ａの略中心を通る導光板６ｕの１つの対角線を示す。
【００８８】
第４実施形態に係る照明装置５１ｕは、１つの光源５と、導光板６ｕと、を備える。
【００８９】
光源５は、導光板６ｕの１つの角部に位置する入射面６ａと対面する位置に配置されている。
【００９０】
導光板６ｕは、透明樹脂などの透光性素材にて形成され、液晶表示パネル５０と対向する位置に配置される。導光板６ｕは、例えば略矩形状の平面形状を有し、入射面６ａ、出射面６ｂ、反射面６ｃ、右端面６Ｒａ、右端面６Ｒｂ、左端面６Ｌａ及び左端面６Ｌｂを備える。この導光板６ｕでは、入射面６ａは、導光板６ｕの１つの角部に位置している。
【００９１】
右端面６Ｒａ及び左端面６Ｌａは、入射面６ａに隣接している。右端面６Ｒｂは、右端面６Ｒａに隣接していると共に、左端面６Ｌａに対向している。左端面６Ｌｂは、左端面６Ｌａに隣接していると共に、右端面６Ｒａに対向している。導光板６ｕの反射面６ｃには、第１のプリズム６ｐＬ及び第２のプリズム６ｐＲが形成されている。
【００９２】
第１のプリズム６ｐＬは、その高さが対角線Ｌ１４と略直交する方向であって、且つ左端面６Ｌａ又は６Ｌｂから右端面６Ｌａ又は６Ｌｂ側に向かって漸次低くなる形状を有する。第１のプリズム６ｐＬは、反射面６ｃの左端面６Ｌａ及び左端面６Ｌｂの側に形成されていると共に、対角線Ｌ１４の延在方向に且つ入射面６ａから入射面６ａとは逆方向に間隔をおいて形成されている。左端面６Ｌａ側に形成された第１のプリズム６ｐＬは、４つの頂点のうち３つの頂点（図示略）が左端面６Ｌａ上に位置していると共に、残りの１つの頂点Ｐ１が左端面６Ｌａ又は６Ｌｂと右端面６Ｒａ又は６Ｒｂとの間に位置している。
【００９３】
また、本実施形態では、左端面６Ｌｂ側であって、且つ反射面６ｃの中央部付近から反射面６ｃの入射面６ａとは逆側付近にかけて形成された第１のプリズム６ｐＬは、入射面６ａから離れるに従って頂点Ｐ１が右端面６Ｒｂに近づく位置に形成されている。また、反射面６ｃにおいて入射面６ａとは逆側付近では、隣り合う第１のプリズム６ｐＬの間隔が入射面６ａから離れるに従って小さくなっている。但し、これは必須ではない。
【００９４】
一方、第２のプリズム６ｐＲは、その高さが対角線Ｌ１４と略直交する方向であって、且つ右端面６Ｒａ側から左端面６Ｌａにかけて又は右端面６Ｒｂ側から左端面６Ｌｂにかけて漸次低くなる形状を有する。第２のプリズム６ｐＲは、反射面６ｃの右端面６Ｒａ及び右端面６Ｒｂの側に形成されていると共に、対角線Ｌ１４の延在方向に且つ入射面６ａから入射面６ａとは逆方向に間隔をおいて形成されている。右端面６Ｒａ側に形成された第２のプリズム６ｐＲは、４つの頂点のうち３つの頂点（図示略）が右端面６Ｒａ上に位置していると共に、残りの１つの頂点Ｐ１が左端面６Ｌａ又は６Ｌｂと右端面６Ｒａ又は６Ｒｂとの間に位置する反射面６ｃに位置している。
【００９５】
また、右端面６Ｒｂ側であって、且つ反射面６ｃの中央部付近から反射面６ｃの入射面６ａとは逆側付近にかけて形成された第２のプリズム６ｐＲは、入射面６ａから離れるに従って頂点Ｐ１が左端面６Ｌｂに近づく位置に形成されている。また、反射面６ｃにおいて入射面６ａとは逆側付近では、隣り合う第２のプリズム６ｐＲの間隔が入射面６ａから離れるに従って小さくなっている。但し、これは必須ではない。
【００９６】
また、第２のプリズム６ｐＲは、反射面６ｃの中央部付近から反射面６ｃの入射面６ａとは逆側にかけて、第１のプリズム６ｐＬと互い違いとなるように形成されている。さらに、第２のプリズム６ｐＲは、反射面６ｃにおいて、対角線Ｌ１４に対して、第１のプリズム６ｐＬと非対称となる位置に形成されている。
【００９７】
以上の構成を有する第４実施形態に係る導光板６ｕによれば、上記した第１実施形態の導光板６と同様の作用により、導光板６ｕの左端面６Ｌａ及び左端面６Ｌｂの側の領域、並びに、導光板６ｕの右端面６Ｒａ及び右端面６Ｒｂの側の領域の輝度を夫々高めることができる。このため、光源５の正面方向に位置する導光板６ｕの領域と、導光板６ｕの左右側（左端面６Ｌａ及び左端面６Ｌｂの側の領域、並びに、導光板６ｕの右端面６Ｒａ及び右端面６Ｒｂの側）の領域とで輝度の差を小さくすることができる。その結果、導光板６ｕの略全領域に亘って輝度を均一化することができる。
【００９８】
[導光板の構成（第５実施形態）]
次に、第５実施形態に係る導光板６ｖを備える照明装置５１ｖの構成について説明する。なお、以下では、第１、第２及び第４実施形態と同一の要素については同一の符号を付し、その説明は適宜省略する。
【００９９】
図７（ｂ）は、第５実施形態に係る照明装置５１ｖを、その要素である導光板６ｖの出射面６ｂ側から見た平面図を示す。図７（ｂ）において、楕円状の破線領域は光源５から出射される光Ｌの領域を示し、直線Ｌ１５は、光源５及び入射面６ａの略中心を通る導光板６ｖの１つの対角線を示す。
【０１００】
第５実施形態に係る照明装置５１ｖは、１つの光源５と、導光板６ｖと、を備える。
【０１０１】
光源５は、導光板６ｖの１つの角部に位置する入射面６ａと対面する位置に配置されている。
【０１０２】
導光板６ｖは、透明樹脂などの透光性素材にて形成され、液晶表示パネル５０と対向する位置に配置される。導光板６ｖは、例えば略矩形状の平面形状を有し、入射面６ａ、出射面６ｂ、反射面６ｃ、右端面６Ｒａ、右端面６Ｒｂ、左端面６Ｌａ及び左端面６Ｌｂを備える。この導光板６ｖでは、入射面６ａは、導光板６ｖの１つの角部に形成されている。導光板６ｖの反射面６ｃには、第１のプリズム６ｐＬ及び第２のプリズム６ｐＲに加え、さらに第３のプリズム６ｐｈが形成されている。
【０１０３】
第１のプリズム６ｐＬは、その高さが対角線Ｌ１５と略直交する方向であって、且つ左端面６Ｌａ側から右端面６Ｒａにかけて又は左端面６Ｌｂ側から右端面６Ｒｂにかけて漸次低くなる形状を有する。第１のプリズム６ｐＬは、反射面６ｃの左端面６Ｌａ及び左端面６Ｌｂの側に形成されていると共に、対角線Ｌ１５の延在方向に且つ入射面６ａから入射面６ａとは逆方向に間隔をおいて形成されている。左端面６Ｌａ側に形成された第１のプリズム６ｐＬは、４つの頂点のうち３つの頂点（図示略）が左端面６Ｌａ上に位置していると共に、残りの１つの頂点Ｐ１が左端面６Ｌａ又は６Ｌｂと右端面６Ｒａ又は６Ｒｂとの間に位置する反射面６ｃに位置している。また、左端面６Ｌｂ側であって、且つ反射面６ｃの中央部付近から反射面６ｃの入射面６ａとは逆側付近にかけて形成された第１のプリズム６ｐＬは、入射面６ａから離れるに従って頂点Ｐ１が右端面６Ｒｂに近づく位置に形成されている。
【０１０４】
一方、第２のプリズム６ｐＲは、その高さが対角線Ｌ１５と略直交する方向であって、且つ右端面６Ｒａ側から左端面６Ｌａにかけて又は右端面６Ｒｂ側から左端面６Ｌｂにかけて漸次低くなる形状を有する。第２のプリズム６ｐＲは、反射面６ｃの右端面６Ｒａ及び右端面６Ｒｂの側に形成されていると共に、対角線Ｌ１５の延在方向に且つ入射面６ａから入射面６ａとは逆方向に間隔をおいて形成されている。右端面６Ｒａ側に形成された第２のプリズム６ｐＲは、４つの頂点のうち３つの頂点（図示略）が右端面６Ｒａ上に位置していると共に、残りの１つの頂点Ｐ１が左端面６Ｌａ又は６Ｌｂと右端面６Ｒａ又は６Ｒｂとの間に位置する反射面６ｃに位置している。また、右端面６Ｒｂ側であって、且つ反射面６ｃの中央部付近から反射面６ｃの入射面６ａとは逆側付近にかけて形成された第２のプリズム６ｐＲは、入射面６ａから離れるに従って頂点Ｐ１が左端面６Ｌｂに近づく位置に形成されている。また、第２のプリズム６ｐＲは、反射面６ｃにおいて、対角線Ｌ１５に対して、第１のプリズム６ｐＬと対称となる位置に形成されている。
【０１０５】
第３のプリズム６ｐｈは、反射面６ｃの入射面６ａ付近から反射面６ｃの入射面６ａ側とは逆側にかけて間隔をおいて形成されていると共に、隣り合う第３のプリズム６ｐｈの間隔は、入射面６ａから離れるに従って小さく設定される。また、第３のプリズム６ｐｈは、反射面６ｃの入射面６ａ付近から反射面６ｃの中央部付近において、相隣接する第１のプリズム６ｐＬの間及び第２のプリズム６ｐＲの間に形成されている。
【０１０６】
以上の構成を有する第５実施形態に係るに係る導光板６ｖによれば、反射面６ｃからの高さが一定である略三角柱形状の第３のプリズム６ｐｈのみ備える導光板と比較して、導光板６ｖの左端面６Ｌａ及び左端面６Ｌｂの側の領域、並びに、導光板６ｖの右端面６Ｒａ及び右端面６Ｒｂの側の領域の輝度を夫々高めることができる。このため、光源５の正面方向に位置する導光板６ｖの領域と、導光板６ｖの左右側（導光板６ｖの左端面６Ｌａ及び左端面６Ｌｂの側の領域、並びに、導光板６ｖの右端面６Ｒａ及び右端面６Ｒｂの側）の領域とで輝度の差を小さくすることができる。その結果、導光板６ｖの略全領域に亘って輝度を均一化することができる。
【０１０７】
また、第５実施形態に係る導光板６ｖでは、隣り合う第３のプリズム６ｐｈの間隔が入射面６ａから離れるに従って小さく設定されている。つまり、第３のプリズム６ｐｈは、入射面６ａから離れるに従って密に形成される。このため、導光板６ｖにおいて輝度の低くなりがちな入射面６ａとは逆側の輝度を高めることができる。このため、光源５の正面方向に位置する導光板６ｖの領域と、導光板６ｖの入射面６ａとは逆側の領域とで輝度の差を小さくすることができる。
【０１０８】
[導光板の構成（第６実施形態）]
次に、第６実施形態に係る導光板６ｗを備える照明装置５１ｗの構成について説明する。なお、以下では、第１、第４及び第５実施形態と同一の要素については同一の符号を付し、その説明は適宜省略する。
【０１０９】
図８（ａ）は、第６実施形態に係る照明装置５１ｗを、その要素である導光板６ｗの出射面６ｂ側から見た平面図を示す。図８（ａ）において、楕円状の破線領域は光源５から出射される光Ｌの領域を示し、直線Ｌ１６は、光源５及び入射面６ａの略中心を通る導光板６ｗの１つの対角線を示す。図８（ｂ）は、図８（ａ）の破線領域Ａ５０に対応する、プリズム６ｐの要部拡大斜視図を示す。
【０１１０】
第６実施形態に係る照明装置５１ｗは、１つの光源５と、導光板６ｗと、を備える。
【０１１１】
光源５は、導光板６ｗの１つの角部に位置する入射面６ａと対面する位置に配置されている。
【０１１２】
導光板６ｗは、透明樹脂などの透光性素材にて形成され、液晶表示パネル５０と対向する位置に配置される。導光板６ｗは、例えば略矩形状の平面形状を有し、入射面６ａ、出射面６ｂ、反射面６ｃ、右端面６Ｒａ、右端面６Ｒｂ、左端面６Ｌａ及び左端面６Ｌｂを備える。この導光板６ｗでは、入射面６ａは、導光板６ｗの１つの角部に形成されている。導光板６ｗの反射面６ｃには、第１のプリズム６ｐＬ及び第２のプリズム６ｐＲが形成されている。
【０１１３】
第１のプリズム６ｐＬは、出射面６ｂ側に頂角δ４を有し、且つ稜線６ｐｓが入射面６ａの略中心を基準に同心円状をなす断面三角形状のプリズムである。第１のプリズム６ｐＬは、その高さｈ４が導光板６ｗの左端面６Ｌａ又は左端面６Ｌｂから内側に向かって漸次低くなる形状を有する。第１のプリズム６ｐＬは、反射面６ｃの左端面６Ｌａ側及び左端面６Ｌｂ側であって、且つ入射面６ａから入射面６ａとは逆側にかけて間隔をおいて形成されている。第１のプリズム６ｐＬは、４つの頂点Ｐ１〜Ｐ４のうち、３つの頂点Ｐ２〜Ｐ４が左端面６Ｌａ上又は左端面６Ｌｂ上に位置していると共に、残りの１つの頂点Ｐ１が左端面６Ｌａ又は６Ｌｂと右端面６Ｒａ又は６Ｒｂとの間に位置する反射面６ｃに位置している。また、本例では、隣り合う第１のプリズム６ｐＬの間隔は同一であるが、本発明では、その間隔は同一でなくても良い。
【０１１４】
一方、第２のプリズム６ｐＲも、出射面６ｂ側に頂角δ４を有し、且つ稜線６ｐｓが入射面６ａの略中心を基準に同心円状をなす断面三角形状のプリズムである。第２のプリズム６ｐＲは、その高さｈ４が導光板６ｗの右端面６Ｒａ又は右端面６Ｒｂから内側に向かって漸次低くなる形状を有する。第２のプリズム６ｐＲは、反射面６ｃの右端面６Ｒａ側及び右端面６Ｒｂ側であって、且つ入射面６ａから入射面６ａとは逆側にかけて間隔をおいて形成されている。第２のプリズム６ｐＲは、４つの頂点Ｐ１〜Ｐ４のうち、３つの頂点Ｐ２〜Ｐ４（図示略）が右端面６Ｒａ上又は右端面６Ｒｂ上に位置していると共に、残りの１つの頂点Ｐ１が左端面６Ｌａ又は６Ｌｂと右端面６Ｒａ又は６Ｒｂとの間に位置する反射面６ｃに位置している。また、本例では、隣り合う第２のプリズム６ｐＲの間隔は同一であるが、本発明では、その間隔は同一でなくても良い。また、第２のプリズム６ｐＲは、反射面６ｃにおいて、対角線Ｌ１６に対して第１のプリズム６ｐＬと対称となる位置に形成されている。
【０１１５】
以上の構成を有する第６実施形態に係るに係る導光板６ｗによれば、上記した第１実施形態の導光板６と同様の作用により、導光板６ｗの左端面６Ｌａ及び左端面６Ｌｂの側の領域、並びに、導光板６ｗの右端面６Ｒａ及び右端面６Ｒｂの側の領域の輝度を夫々高めることができる。このため、光源５の正面方向に位置する導光板６ｗの領域と、導光板６ｗの左右側（導光板６ｗの左端面６Ｌａ及び左端面６Ｌｂの側の領域、並びに、導光板６ｗの右端面６Ｒａ及び右端面６Ｒｂの側）の領域とで輝度の差を小さくすることができる。その結果、導光板６ｗの略全領域に亘って輝度を均一化することができる。
【０１１６】
また、第１のプリズム６ｐＬ及び第２のプリズム６ｐＲは入射面６ａの略中心を基準に同心円状をなす形状を有するので、光源５から出射された光Ｌは第１のプリズム６ｐＬ及び第２のプリズム６ｐＲの傾斜面６ｐａに対して略垂直に当たる。これにより、導光板６ｗの出射面６ｂに対する光Ｌの立ち上げ角度を大きくすることができる。その結果、導光板６ｗの略全領域に亘って輝度を高くすることができる。
【０１１７】
なお、第１のプリズム６ｐＬと第２のプリズム６ｐＲとは、反射面６ｃにおいて、対角線Ｌ１６に対して対称となる位置に形成されているが、これに限らず、本発明では、第１のプリズム６ｐＬと第２のプリズム６ｐＲとは、反射面６ｃにおいて、対角線Ｌ１６に対して非対称となる位置に形成されていてもよい。
[変形例]
本発明では、第１のプリズム６ｐＬ、第２のプリズム６ｐＲ、第３のプリズム６ｐｈ及び第４のプリズム６ｐｋを含む各種のプリズム６ｐにおいて、その頂角及び底角の角度、その数、その高さなどの各パタメータについて具体的な数値を示していないが、それらの各パタメータに限定はない。
【０１１８】
また、本発明では、反射面６ｃの法線方向における当該反射面６ｃからのプリズム６ｐの高さは、稜線６ｐｓの延在方向の各位置で異なる構成であれば、プリズム６ｐはどのような形状であってもよい。これにより、稜線６ｐｓの延在方向において、プリズム６ｐの傾斜面６ｐａ又は６ｐｂの幅（稜線６ｐｓに直交し且つ傾斜面６ｐａ又は６ｐｂに沿う方向の幅）又は面積を異ならせることができる。よって、導光板において光源５の左右方向など輝度の低い領域は、プリズム６ｐの高さを高くすることで輝度を高めることが可能になる一方、導光板において光源５の正面方向など輝度の高い領域は、プリズム６ｐの高さを低くすることで、光源５の正面方向の導光板の領域の輝度と、光源５の左右方向の導光板の領域の輝度との差を小さくすることができる。このように、プリズム６ｐの高さを稜線６ｐｓの延在方向で調整することで輝度を均一化することが可能となる。
【０１１９】
[電子機器]
次に、上記の第１乃至第６実施形態又は変形例に係る導光板を有する照明装置を備えた液晶装置（以下、代表して「液晶装置１０００」と称する）を備える電子機器の具体例について図９を参照して説明する。
【０１２０】
まず、本発明に係る液晶装置１０００を、可搬型のパーソナルコンピュータ（いわゆるノート型パソコン）の表示部に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【０１２１】
続いて、本発明に係る液晶装置１０００を、携帯電話機の表示部に適用した例について説明する。図９（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【０１２２】
なお、本発明に係る液晶装置１０００を適用可能な電子機器としては、図９（ａ）に示したパーソナルコンピュータや図９（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【０１２３】
【図１】本発明の実施形態に係る液晶装置の断面図。
【図２】比較例に係る照明装置の構成を示す平面図、及びその要素である導光板のプリズムに対する光の入射角と反射角との関係を示す図。
【図３】比較例に係る照明装置の輝度分布を示す平面図。
【図４】第１実施形態に係る照明装置の構成を示す平面図、及び導光板に形成された第１及び第２のプリズムの構成を示す要部斜視図、要部平面図、要部断面図。
【図５】第２実施形態に係る照明装置の構成を示す平面図、及び導光板に形成された第３のプリズムの構成を示す要部斜視図。
【図６】第３実施形態に係る照明装置の構成を示す各平面図、及び導光板に形成された第４のプリズムの構成を示す要部平面図、要部断面図。
【図７】第４及び第５実施形態に係る照明装置の構成を示す各平面図。
【図８】第６実施形態に係る照明装置の構成を示す平面図、及び導光板に形成された同心円状の第１及び第２のプリズムの構成を示す要部斜視図。
【図９】本発明の液晶装置を備える電子機器の斜視図。
【符号の説明】
【０１２４】
５  光源、  ６、６ｓ、６ｔ、６ｕ、６ｖ、６ｗ  導光板、  ６ａ  入射面、  ６ｂ  出射面、  ６ｃ  反射面、  ６ｄ  反入射面、  ６Ｌ、６Ｌａ、６Ｌｂ  左端面、  ６Ｒ、６Ｒａ、６Ｒｂ  右端面、  ６ｐ  プリズム、  ６ｐａ、６ｐｂ  傾斜面、  ６ｐｓ、６１ｐｃ、６１ｐｓ  稜線、  ５０  液晶表示パネル、  ５１、５１ｓ、５１ｔ、５１ｕ、５１ｖ、５１ｗ  照明装置、  １００、１０００  液晶装置
【図１】
2009224174.tif 000003
【図２】
2009224174.tif 000004
【図３】
2009224174.tif 000005
【図４】
2009224174.tif 000006
【図５】
2009224174.tif 000007
【図６】
2009224174.tif 000008
【図７】
2009224174.tif 000009
【図８】
2009224174.tif 000010
【図９】
2009224174.tif 000011